(57)【特許請求の範囲】
【請求項１】
咬合部を備えた帯状基部から構成される一対の雄部材及び雌部材からなるチャックテープであって、
前記帯状基部が、シール部と、前記咬合部と連結して一体的に形成される基体部を含み、
前記雄部材または雌部材の何れか一方における帯状基部の咬合部の有る側（以下、単に「内面側」とする）の端部表面が、他方の帯状基部の内面側の端部表面と前記帯状基部の長手方向に亘り疑似接着可能となっていて、
前記雄部材または雌部材の何れか一方における帯状基部の内面側の前記端部表面に、
前記シール部を構成する樹脂、または当該シール部を構成する樹脂と融点が同じあるいはそれより融点の低い樹脂が露出され、
前記他方における帯状基部の内面側の基体部は、前記露出した樹脂より高融点の樹脂で構成されており、
前記雄部材および雌部材のうちの少なくとも前記他方における帯状基部が、前記基体部の表面に積層され、疑似接着される前記端部表面を構成する他の層を含んでおり、
前記他の層は、前記露出した樹脂より高融点の樹脂で構成されている
ことを特徴とするチャックテープ。
【請求項２】
請求項１に記載のチャックテープにおいて、
前記シール部がメタロセン系直鎖状低密度ポリエチレンであり、
前記基体部が直鎖状低密度ポリエチレンまたは低密度ポリエチレンであり、
前記他の層がポリプロピレン系樹脂である
ことを特徴とするチャックテープ。
【請求項３】
請求項１に記載のチャックテープにおいて、
前記シール部を構成する樹脂がメタロセン系直鎖状低密度ポリエチレンであり、
前記基体部を構成する樹脂がランダムポリプロピレン（ＲＰＰ）である
ことを特徴とするチャックテープ。
【請求項４】
請求項１ないし請求項３の何れか一項に記載のチャックテープが袋本体に融着されてなる
ことを特徴とするチャックテープ付き包装袋。
【請求項５】
咬合部を備えた帯状基部から構成される一対の雄部材及び雌部材からなるチャックテープを用いたチャックテープ付き包装袋の製造方法であって、
前記チャックテープにおいては、
前記帯状基部が、シール部と、前記咬合部と連結して一体的に形成される基体部を含み、
前記雄部材または雌部材の何れか一方における帯状基部の咬合部の有る側（以下、単に「内面側」とする）の端部表面が、他方の帯状基部の内面側の端部表面と前記帯状基部の長手方向に亘り疑似接着可能となっていて、
前記雄部材または雌部材の何れか一方における帯状基部の内面側の前記端部表面に、
前記シール部を構成する樹脂、または当該シール部を構成する樹脂と融点が同じあるいはそれより融点の低い樹脂が露出され、
前記他方における帯状基部の内面側の基体部は、前記露出した樹脂より高融点の樹脂で構成されており、
前記チャックテープにおける疑似接着される端部側を、袋本体を構成するための基材フィルムの進行方向に向けるようにしながら、チャックテープを、基材フィルムの流れ方向に対して直交する方向から挿入するチャックテープ挿入工程と、
雄部材または雌部材の何れか一方のシール部と、基材フィルムのシーラント層（最内層）をヒートシールするとともに、雄部材と雌部材における帯状基部の内面側の端部表面同士を前記帯状基部の長手方向に亘り疑似接着させる１回目のヒートシール工程と、
基材フィルムを製袋化する製袋工程と、
雄部材または雌部材のうちの他方のシール部を基材フィルムのシーラント層（最内層）にヒートシールする２回目のヒートシール工程と、
を含み、
前記１回目のヒートシール工程では、前記帯状基部の内面側の端部表面に露出された樹脂と、前記他方における帯状基部の内面側であって前記露出した樹脂より高融点の樹脂で構成された基体部と、をヒートシールする
ことを特徴とするチャックテープ付き包装袋の製造方法。
【発明の詳細な説明】
【技術分野】
【０００１】
本発明は、チャックテープ、チャックテープ付き包装袋及びチャックテープ付き包装袋の製造方法に関する。
【背景技術】
【０００２】
食品や医療品等の各種物品を包装するための包装材としては、袋の開口部に対して雄部材及び雌部材より形成されて雌雄咬合する一対の帯状のチャックテープ（咬合具）を設けて、開閉自在とした包装袋が適用されている。
また、このような開口部の開閉を自在に実施することができるチャックテープ付き包装袋を製造する方法としては、一般には、あらかじめチャックテープを製造した後、当該チャックテープを袋本体の構成材である基材フィルムに対してヒートシールする方法が広く使用されている。
【０００３】
ここでチャックテープを基材フィルムに対してヒートシールしてチャックテープ付き包装袋を製袋化するには、連続的に送り出される基材フィルムの進行方向に対して垂直方向からチャックテープを挿入するとともに、基材フィルムのシーラント層に対してチャックテープの雄部材または雌部材のいずれか一方の帯状基部をヒートシールして固定し、フィルム基材を筒状にした後、チャックテープの雄部材または雌部材のうち固定されなかった残りの一方を基材フィルムのシーラント層にヒートシールする手段が用いられていた。
【０００４】
一方、かかる手段を用いてチャックテープ付き包装袋を製造する場合にあっては、チャックテープの雄部材または雌部材のいずれか一方の帯状基部を基材フィルムのシーラント層に対してヒートシールして固定してフィルム基材を筒状に形成するに際して、チャックテープのヒートシールしていない側の帯状基部の進行方向側が、製袋機との摩擦によってめくれてしまうため、以降のヒートシールを良好に行うことができないという問題が生じていた。
【０００５】
このような問題点に対して、進行方向のチャックテープの端部をタックシールないしはキャリアシールして固定することにより、チャックテープ端部のめくれを防止する技術が提供されていた（例えば、特許文献１）。また、他の例としては、最初にヒートシールしない側のチャックテープについて、進行方向の端部をあらかじめ切除しておいて、製袋機との接触をなくすことにより、チャックテープのめくれを発生させないようにする技術が提供されていた（例えば、特許文献２）。
【０００６】
【特許文献１】特開２００１−３１５８０５号公報（［０００６］，図１，図２）
【特許文献２】特開平１０−２９６８８４号公報（［００１４］，図１）
【発明の開示】
【発明が解決しようとする課題】
【０００７】
しかしながら、特許文献１に示される技術の如くチャックテープに対してタックシールを実施するためには、通常のフラットシールバーに対してタックシールリブを備えた専用のシールバーを使用する必要があるが、かかるタックシールリブを備えたシールバーは高価であるという問題があった。このため、通常のフラットシールバーを用いて前記の問題を解決する手段の提供が求められていた。
【０００８】
また、特許文献２に示される技術のように、チャックテープの端部をあらかじめ切除するにあっては、複雑な工程が必要となるため作業が煩雑化するとともに、端部を削除した側が袋の内側となった場合にあっては、内容物が咬合部に入り込んでしまい、密封性が損なわれるという問題があった。
【０００９】
従って、本発明の目的は、通常のフラットシールバーを用いてヒートシールしても、製袋時のチャックテープのめくれを防止することができる構成を備えたチャックテープ、チャックテープ付き包装袋及び当該包装袋の製造方法を提供することにある。
【課題を解決するための手段】
【００１０】
前記した目的を達するために、本発明のチャックテープは、咬合部を備えた帯状基部から構成される一対の雄部材及び雌部材からなるチャックテープであって、前記帯状基部が、シール部と、前記咬合部と連結して一体的に形成される基体部を含み、前記雄部材または雌部材の何れか一方における帯状基部の咬合部の有る側（以下、単に「内面側」とする）の端部表面が、他方の帯状基部の内面側の端部表面と疑似接着可能となっていることを特徴とする。
【００１１】
かかる本発明のチャックテープによれば、チャックテープを構成する雄部材または雌部材の何れか一方における帯状基部の内面側の端部表面が、他方の帯状基部の端部表面と疑似接着可能に形成されているので、当該チャックテープを袋本体にヒートシールさせてチャックテープ付き包装袋を製造する場合にあっても、製袋時にチャックテープの帯状基部同士を疑似接着して仮固定することができるので、チャックテープがめくれることもない。また、本発明のチャックテープの構成によれば、通常のフラットシールバーを用いても、チャックテープがめくれることなくチャックテープ付き包装袋の製造を簡便に行うことができる。
なお、本発明においては、前記したように帯状基部の咬合部の有る側を、帯状基部の「内面側」としている。
【００１２】
ここで、チャックテープ付き包装袋を製造するにあたっては、雄部材と雌部材とを別個にヒートシールする必要があるので、これらの何れか一方を、袋本体を構成するフィルム基材にヒートシールする際に、両者の端部を疑似接着して両者を仮固定させるようにすれば、製袋工程等で、金属板を用いて、筒状、さらにはガゼット折りを行う場合であっても、ヒートシールされていない側のチャックテープがめくれてしまうこともない。そして、本発明のチャックテープは、ガゼット袋（ガゼット合掌袋含む）、合掌袋等、チャックテープをヒートシールする袋本体を構成する基材フィルムの製袋進行方向と平行な辺を折り畳んで袋本体を形成する場合には、特に有効となる。
【００１３】
ここで、雄部材または雌部材の帯状基部の内面側の端部表面が、他方の帯状基部の端部表面と疑似接着可能となる態様としては、雄部材または雌部材の何れか一方における帯状基部の内面側の端部表面に対して、他方における帯状基部の内面側の端部表面をなす樹脂とは種類が異なる樹脂、例えば、チャックテープのシール部を構成する樹脂や、または当該シール部を構成する樹脂と融点が略同じあるいはそれより融点の低い樹脂が露出されているようにすればよく、このような態様とすることにより、疑似接着が効率よく行われ、前記した効果を好適に享受することができる。
【００１４】
本発明のチャックテープは、前記したシール部を構成する樹脂がメタロセン系直鎖状低密度ポリエチレンであり、前記した基体部を構成する樹脂がランダムポリプロピレン（ＲＰＰ）であることが好ましい。
かかる本発明によれば、シール部及び基体部を構成する樹脂として特定のものを採用しており、シール部としてメタロセン系直鎖状低密度ポリエチレンを採用することにより、低温シール性に優れたチャックテープとなるためシール条件の幅も広がることとなる。また、基体部としてランダムポリプロピレン（ＲＰＰ）を採用することにより、袋本体とヒートシールした場合における、チャックテープの熱収縮により生じる袋本体のシワの発生を抑制することができる。
【００１５】
本発明のチャックテープは、前記した基体部の表面に積層される他の層を含んでいてもよく、このような構成とすることにより、チャックテープの厚み方向に対していわゆるアンカー構造が形成されるため、帯状基部の強度が向上するとともに、咬合部と連結して一体的に形成されている基体部がシール部と他の層に挟み込まれた構成となるため、チャックテープに対する咬合部の剥離強度も優れたものとなる。
【００１６】
また、このようなシール部、基体部、及び他の層という３つの構成部を層状に含むことになるので、咬合部を含む部位である基体部を構成する材料選択の幅も広がり、例えば、前記した他の層を含まない構成と比較して、シール部と基体部との融点差を比較的小さくした材料を選択することができる。
よって、前記した本発明のチャックテープの構成によれば、シール部がメタロセン系直鎖状低密度ポリエチレンや低密度ポリエチレン、基体部が直鎖状低密度ポリエチレン、他の層がポリプロピレン系樹脂とする組み合わせも可能となり、基体部として、シール部との融点の差がそれほどない（例えば、融点の差が２０℃程度の）樹脂を選択することも可能となる。
【００１７】
本発明のチャックテープ付き包装袋は、前記したチャックテープが袋本体に対して融着（ヒートシール）されてなることを特徴とする。
この本発明のチャックテープ付き包装袋は、このように前記した本発明のチャックテープが、袋本体に対して融着されて形成されているので、前記した本発明のチャックテープの奏する効果を好適に享受することができる。
すなわち、前記した本発明のチャックテープは、通常のフラットシールバーを用いてヒートシールしても、製袋時のチャックテープのめくれを防止することができる構成となっているため、作業性も煩雑とならず、また、生産性に優れたチャックテープ付き包装袋を好適に提供可能とする。
【００１８】
本発明のチャックテープ付き包装袋の製造方法は、前記した本発明のチャックテープにおける疑似接着される端部を、袋本体を構成する基材フィルムの進行方向に向けるようにしながら、チャックテープを、基材フィルムの流れ方向に対して直交する方向から挿入するチャックテープ挿入工程と、雄部材または雌部材の何れか一方のシール部と、基材フィルムのシーラント層（最内層）をヒートシールするとともに、雄部材と雌部材における帯状基部の内面側の端部表面同士を前記帯状基部の長手方向に亘り疑似接着させる１回目のヒートシール工程と、基材フィルムを製袋化する製袋工程と、雄部材または雌部材のうちの他方のシール部を基材フィルムのシーラント層（最内層）にヒートシールする２回目のヒートシール工程と、を含み、前記１回目のヒートシール工程では、前記帯状基部の内面側の端部表面に露出された樹脂と、前記他方における帯状基部の内面側であって前記露出した樹脂より高融点の樹脂で構成された基体部と、をヒートシールすることを特徴とする。
【００１９】
この本発明によれば、本発明のチャックテープを使用して包装袋を製造しているため、通常のフラットシールバーを用いてヒートシールしても、金属板を用いた製袋時のチャックテープのめくれを防止することができる。従って、製造時のチャックテープや袋本体のロスを最小限として、作業効率や生産性に優れ、コスト低減にも有効なチャックテープ付き包装袋の製造方法を提供することができる。
ここで、「製袋」とは、例えば、金属板を用いて基材フィルムを折り畳んだり、基材フィルム同士をヒートシール等して袋形状を形成していくことをいう。
【発明を実施するための最良の形態】
【００２０】
［第１実施形態］
図１及び図２を用いて、本発明の第１実施形態のチャックテープ、及びチャックテープ付き包装袋（以下、単に「包装袋」とすることもある）を説明する。
図１は、本発明のチャックテープを袋本体に融着したチャックテープ付き包装袋を示した斜視図である。
また、図２は、図１のII−II断面図であって、本発明のチャックテープを、包装袋を構成する袋本体に融着した状態を示す断面図（咬合部が咬合した状態）である。
【００２１】
ここで、図１及び図２中、１はチャックテープ、１０は咬合部、１１は雄部材、１２は雌部材、１３は帯状基部、１４はシール部、１５は基体部、１６は頭部、１７は連結部、１８は第１のフック部、１９は第２のフック部、２０は疑似接着部、３０は袋本体、３１はマチ、３２は背貼部、３３は底部、３４は開口部（図１ではシールされている）、４０はチャックテープ付き包装袋、をそれぞれ示している。
なお、本実施形態にあっては、袋本体３０は、袋の左右にマチ３１を形成した合掌ガゼット袋を用いた態様を示している。
【００２２】
また、図２に示すように、本実施形態のチャックテープにあっては、雌部材１２を構成する帯状基部１３の内面側（咬合部１０の有る側。以下同）の端部表面１３ａに、対向する雄部材１１を構成する帯状基部１３の内面側の端部表面１３ｂと疑似接着可能なように、雌部材１２のシール部１４が疑似接着部２０を形成しており、また、かかる疑似接着部２０は、雌部材１２のシール部１４と一体的に形成され、雌部材１２の帯状基部１３を構成する基体部１５の表面に露出している。
【００２３】
本実施形態におけるチャックテープ１は、図２にその断面構成を示すように、熱可塑性樹脂からなる一方の帯状の雄部材１１と、この雄部材１１と咬合する他方の雌部材１２を備えている。
ここで、雄部材１１は、袋本体３０に対して融着される帯状基部１３と、断面が略鏃（やじり）形状の頭部１６、及びこの帯状基部１３と頭部１６を連結する連結部１７により一体的に形成されている。
【００２４】
また、雌部材１２は、前記した雄部材１１と同様に、袋本体３０に対して融着される帯状基部１３と、当該帯状基部１３と連結して形成される断面が円弧形状の第１のフック部１８及び第２のフック部１９からなり、この第１のフック部１８と第２のフック部１９は対向するように形成されている。
そして、チャックテープ１は、雄部材１１の頭部１６と雌部材１２の第１のフック部１８及び第２のフック部１９が咬合部１０を形成しており、これらが咬合または離れることにより、開封または再封が行われることとなる。
【００２５】
図２に示すように、チャックテープ１を構成する帯状基部１３は、シール部１４と、咬合部１０と連続して一体的に形成される基体部１５とからなる。
なお、本実施形態のチャックテープ１にあっては、雄部材１１は、基体部１５を構成する樹脂によって、帯状基部１３の基体部１５、頭部１６及び連結部１７が一体的に形成されている。また、雌部材１２も、基体部１５を構成する樹脂により、帯状基部１３の基体部１５、第１のフック部１８及び第２のフック部１９が一体的に形成された態様を示している。
【００２６】
ここで、雄部材１１及び雌部材１２を構成する帯状基部１３のシール部１４は、チャックテープ１の外面に配され、袋本体２０のシーラント層（最内層）とヒートシールされる。
本発明のチャックテープ１において、このシール部１４を構成する材料としては、ヒートシール性を備えた熱可塑性樹脂とすることが好ましく、例えば、メタロセン系直鎖状低密度ポリエチレン、チーグラー−ナッタ系直鎖状低密度ポリエチレン、エチレン−酢酸ビニル共重合体（ＥＶＡ）、エチレン−アクリル酸共重合体（ＥＡＡ）等の樹脂を使用することができ、基体部１５を構成する樹脂と樹脂の種類が異なり、かつ、低融点であれば、これらの一種を単独で、または二種以上を組み合わせて使用することができる。また、後記する基体部１５とシール部１４の一方、または双方が樹脂組成物である場合は、主成分の樹脂の種類同士が異なり、かつ、シール部１４を構成する主成分の樹脂の融点が、基体部１５を構成する主成分の樹脂の融点より低くなるような樹脂を、シール部１４に用いるようにしてもよい。
【００２７】
シール部１４を構成する樹脂としては、この中でも、メタロセン系直鎖状低密度ポリエチレンを使用することが好ましい。メタロセン系直鎖状低密度ポリエチレンとしては、エチレンと炭素数４〜２０のα−オレフィンの共重合体であり、密度は８６０〜９２０ｋｇ／ｍ３のものを使用することが特に好ましい。シール部１４としてメタロセン系直鎖状低密度ポリエチレンを使用することにより、袋本体３０とのシール強度も良好となり、また、低温シール性に優れたチャックテープ１となるため、シール条件の幅を広げることができる。更に、メルトフローレート（ＭＦＲ）が５ｇ／１０分である前記メタロセン系直鎖状低密度ポリエチレンをシール部１４に用いると、袋本体３０のシーラント層がランダムポリプロピレンであっても、簡便にヒートシールすることができる。
なお、メルトフローレート（ＭＦＲ）は、ＪＩＳ  Ｋ７２１０に準拠して（１９０℃又は２３０℃、２１．１８Ｎ荷重）測定すればよい。
【００２８】
一方、基体部１５を構成する樹脂としては、前記したシール部１４を構成する樹脂よりも融点の高い樹脂を使用すればよく、また、図２に示すように、帯状基部１３がシール部１４と基体部１５からなる構成にあっては、基体部１５を構成する樹脂の融点がシール部１４を構成する樹脂より３０℃以上融点が高いことが好ましく、４０℃以上融点が高いことが特に好ましい。図２に示す構成にあって、シール部１４と基体部１５の融点差が３０℃より小さいと、チャックテープ１を袋本体３０のシーラント層にヒートシールする熱により、雄部材１１と雌部材１２の基体部１５同士が融着してしまったり、一方、かかる融着を防止しようとすると、袋本体３０のシーラント層（最内層）との接着強度が小さくなってしまう場合がある。
【００２９】
基体部１５を構成する樹脂の具体例としては、シール部１４を構成する樹脂より高融点であれば特に制限はなく、公知の熱可塑性樹脂を用いることができるが、例えば、ランダムポリプロピレン、低密度ポリエチレン、密度が９１０ｋｇ／ｍ３以上の直鎖状低密度ポリエチレン等が挙げられ、これらの一種を単独で、または二種以上を組み合わせて使用することができる。
【００３０】
基体部１５を構成する樹脂としては、この中でも、ランダムポリプロピレン（ＲＰＰ）を使用することが好ましく、基体部１５としてランダムポリプロピレンを使用することにより、チャックテープ１の熱収縮により生じる袋本体３０のシワの発生を抑制することができる。
【００３１】
基体部１５として使用されるランダムポリプロピレン（ＲＰＰ）はエチレン成分を２．０〜８．０質量％含有することが好ましく、３．０〜６．０質量％含有することが特に好ましい。ランダムポリプロピレンに対して含有されるエチレン成分が２．０質量％より小さいと、咬合部１０の再開閉性が悪くなる場合があり、一方、エチレン成分が８．０質量％より大きいと、シール部１４との融点差が小さくなり、チャックテープ１と袋本体３０をヒートシールする場合におけるヒートシール速度を速くして生産性を高めることが困難となる。
【００３２】
なお、前記したシール部１４及び基体部１５を構成する樹脂には、本発明の効果を妨げない範囲において、従来公知の熱可塑性エラストマーや、スリップ剤、アンチブロッキング剤、造核剤、着色剤、酸化防止剤等の従来公知の添加剤を適宜配合するようにしてもよい。
【００３３】
そして、本実施形態のチャックテープにあっては、図２に示すように、雌部材１２を構成する帯状基部１３の内面側の端部表面１３ａに、対向する雄部材１１を構成する帯状基部１３の内面側の端部表面１３ｂと疑似接着可能なように疑似接着部２０が形成されている。また、かかる疑似接着部２０は、雌部材１２のシール部１４と一体的に形成され、雌部材１２の帯状基部１３を構成する基体部１５の表面（帯状基部１３の内面側。以下同）に露出している。
【００３４】
ここで、本明細書における「疑似接着」とは、帯状基部の内面側の端部表面１３ａに露出している部分（疑似接着部２０）と、もう一方の帯状基部１３（本実施形態では、雄部材１１の帯状基部１３）の内面側の端部表面１３ｂが、当該疑似接着部２０が形成されている雌部材１２と袋本体３０のシーラント層をヒートシールする場合における熱や圧力により接着される一方、両者が完全に融着状態となるわけではなく、手の力などにより軽く引き剥がすことができる程度の軽い接着状態であることをいう。
そして、この疑似接着の度合いは、例えば、疑似接着部２０ともう一方の帯状基部１３の内面側の端部表面１３ｂが、１０Ｎ／１５ｍｍ巾以下程度の剥離強度を備えるようにすればよい。
【００３５】
かかる疑似接着部２０としては、本実施形態にあっては、雌部材１２における帯状基部１３の内面側の端部表面１３ａに、例えば、雄部材１１における帯状基部１３の内面側の端部表面１３ｂをなす樹脂とは種類が異なる樹脂を露出させているのであれば、その形態に特に制限はなく、図２に示すように、シール部１４と一体的に形成され、基体部１５と並んで帯状基部１３（基体部１５）の表面に露出しているようにしてもよい。
一方、図３及び図４は、疑似接着部２０の他の態様を示す部分拡大断面図であるが、このように、疑似接着部２０は、例えば、図３に示すように、シール部１４と分割して形成するようにしてもよく、図４に示すように、疑似接着部２０とシール部１４との間に基体部１５が存在するようにしてもよい。
【００３６】
また、疑似接着部２０を構成する材料としては、図２に示すように、疑似接着部２０がシール部１４と一体的に形成される場合には、シール部１４と同じ樹脂からなるが、図３や図４に示すように、シール部１４と分割される場合にあっては、シール部１４を構成する樹脂の融点と略同じまたは当該樹脂より融点が低い樹脂によりなるようにすればよい。また、図３や図４に示す構成であっても、疑似接着部２０としてシール部１４と同じ樹脂を採用するようにしてもよい。
【００３７】
図２において、疑似接着部２０の巾ｗは、チャックテープ１のサイズ等により適宜決定することができるが、一般に、０．５〜５ｍｍ程度とすることが好ましい。チャックテープ１に形成される疑似接着部２０の幅がかかる範囲であれば、チャックテープ１を構成する咬合部１０を構成するもう一方（本実施形態では雄部材１１）の帯状基部１３の内面側の端部表面１３ｂとの疑似接着が良好に行われる。従って、チャックテープ付き包装袋４０の製造時には仮固定状態を維持できるとともに、当該包装袋４０の開封時には簡便に剥離可能となる。
【００３８】
チャックテープ１を製造するに際しては、本実施形態のチャックテープ１を形成する雄部材１１は、帯状基部１３を構成するシール部１４と基体部１５、及び当該基体部１５と連続する頭部１６と連結部１７を、共押出成形法により一体化して得ることができる。
同様に、雌部材１２も、帯状基部１３を構成するシール部１４（チャックテープ１の内面側に露出した部分である疑似接着部２０を含む）と基体部１５、及び当該基体部１５と連続する第１のフック部１８及び第２のフック部１９を共押出成形法により一体化して製造することができる。チャックテープ１をこのような共押出法により成形すれば、チャックテープ１を連続的に安定して製造することができる。
【００３９】
そして、このチャックテープ１を、袋本体３０を形成するフィルム基材に融着されるとともに、当該フィルム基材を製袋化することにより、図１に示すようなチャックテープ付き包装袋４０を得ることができる。
ここで、採用可能な袋本体の構成としては、特に制限はなく、従来公知の袋形状、例えば、四方シール袋、底ガゼット袋等とすることができ、本発明のチャックテープ１は、サイドガゼット袋（ガゼット合掌袋含む）、合掌袋など、チャックテープ１をヒートシールする袋本体３０を構成する基材フィルムの製袋進行方向と平行な辺を折り畳んで当該袋本体３０を形成する場合に、特に効果的である。
【００４０】
また、袋本体３０を形成するフィルム基材としては、直鎖状低密度ポリエチレン（ＬＬＤＰＥ）、高密度ポリエチレン（ＨＤＰＥ）、未延伸ポリプロピレン（ＣＰＰ）、ドライラミネート法や押出しラミネートで貼り合わされたラミネートフィルムとしてポリエチレンテレフタレート（ＰＥＴ）／ＬＬＤＰＥ、ＰＥＴ／ＣＰＰ、二軸延伸ポリプロピレン（ＯＰＰ）／ＣＰＰ、ナイロン／直鎖状低密度ポリエチレン（ＬＬＤＰＥ）、金属または無機蒸着ＰＥＴ、金属または無機蒸着ＰＥＴ／ＬＬＤＰＥ等を挙げることができる。
【００４１】
ここで、図１に示したチャックテープ付き包装袋４０の製造方法の一例について説明する。
まず、雌雄咬合されたチャックテープ１における雌部材１２の帯状基部１３の端部表面１３ａに形成された疑似接着部２０を、袋本体３０を構成する基材フィルムの進行方向に向けるようにして、チャックテープ１を、基材フィルムの流れ方向に対して直交する方向から挿入する（チャックテープ挿入工程）。
【００４２】
次に、１回目のヒートシールとして、基材フィルムのシーラント層（最内層）と、雌部材１２のシール部１４をフラットシールバーにてヒートシールする（１回目のヒートシール工程）。これにより、雌部材１２のシール部１４と基材フィルムがヒートシールされる。
同時に、雌部材１２の帯状基部１３の端部表面１３ａに形成された疑似接着部２０は、フラットシールバーの熱により、雄部材１１の帯状基部１３の端部表面１３ｂと疑似接着されることになる。
【００４３】
ここで、図５は、第１実施形態のチャックテープ１について、フラットシールバー７０を用いて第１回目のヒートシールを作った後のチャックテープ１と袋本体を構成する基材フィルム３０ａの状態を示した断面図である。
このように、１回目のヒートシール後は、雌部材１２の帯状基部１３の端部表面１３ａに形成された疑似接着部２０が、雄部材１１の帯状基部１３の端部表面１３ｂと疑似接着することになる。従って、チャックテープ１の雄部材１１と雌部材１２の帯状基部１３は端部表面１３ａ，１３ｂで仮固定された状態となるため、以降の工程で、チャックテープと製袋機（金属板）との間で摩擦が起きても、基材フィルム３０ａとヒートシールされていないチャックテープ（本実施形態では雄部材１１）がめくれてしまうこともない。
なお、ヒートシールを行うフラットシールバー７０とチャックテープ等を挟み込むシール受け台７１は、咬合部１０の変形を防止する目的で、図５に示すように凹部７２を形成するようにしてもよい。
【００４４】
そして、チャックテープ１の雌部材１２のシール部１４と、基材フィルムのシーラント層がヒートシールされたら、基材フィルムを必要により所定のサイズに切断して、図１に示すようなガゼット合掌袋の形状に折り畳んで製袋する（製袋工程）。ここで、図１に示すようなガゼット合掌袋を形成するにあっては、袋の左右にマチ３１を入れるとともに、背貼部３２及び底部３３をヒートシールにより形成させるようにすればよい。なお、底部３３は、２回目のヒートシール工程の後に形成するようにしてもよい。
【００４５】
このようにして、ガゼット合掌袋の形状に折り畳まれたら、２回目のヒートシールとして、雄部材１１のシール部１４と基材フィルムのシーラント層（最内層）を、ヒートシールバーを用いてヒートシールするようにすればよい（２回目のヒートシール工程）。このようにして、チャックテープ付き包装袋４０を簡便に得ることができる。
なお、ヒートシールを行う場合の融着条件（温度、圧力等）は、チャックテープ１（特にシール部１４及び疑似接着部２０）、及び袋本体３０を形成するフィルム基材を構成する樹脂の種類等に応じて適宜決定することができる。
【００４６】
また、チャックテープ１を構成する雄部材１１と雌部材１２のうち、１回目のヒートシール工程によりヒートシールされるのは、前記した製造方法に示したように、疑似接着部２０が形成された方とすることが好ましい。疑似接着部２０が形成された側を１回目のヒートシール工程によりヒートシールすれば、シールバーの熱がチャックテープ１の帯状基部１３から効率よく疑似接着部２０に伝わるため、疑似接着が効率よく行われることになる。
【００４７】
このようにして、本実施形態のチャックテープ１を用いてチャックテープ付き包装袋４０を製造すれば、通常のフラットシールバーを用いてヒートシールを実施した場合であって、製袋時のチャックテープ１のめくれを防止することができることとなる。よって、この製造方法によれば、製造時のチャックテープ１や袋本体３０のロスを最小限として、作業効率や生産性に優れ、コスト低減にも有効なチャックテープ付き包装袋４０の製造方法を提供できる。
【００４８】
前記したような本実施形態のチャックテープ１によれば、以下に示す効果を奏することができる。
すなわち、本実施形態のチャックテープ１は、チャックテープ１を構成する雌部材１２の帯状基部１３の内面側の端部表面１３ａに、シール部１４と一体化した疑似接着部２０を配設して、雄部材１１の帯状基部１３の端部表面１３ｂと疑似接着可能に形成されているので、当該チャックテープ１を袋本体３０にヒートシールさせてチャックテープ付き包装袋４０を製造するにあたっても、チャックテープ１がめくれることもなく、通常のフラットシールバーを用いても、チャックテープ付き包装袋４０の製造を簡便に行うことができる。
【００４９】
また、かかるチャックテープ１を袋本体３０に対して融着されて形成されるチャックテープ付き包装袋４０も、通常のフラットシールバーを用いてヒートシールしても、製袋時のチャックテープのめくれを防止することができる構成となっているため、作業性も煩雑とならず、また、生産性に優れたチャックテープ付き包装袋４０となる。
【００５０】
［第２実施形態］
次に、本発明の実施の他の形態（第２実施形態）を図面に基づいて説明する。
図６は、本発明のチャックテープの他の態様を示した断面図であり、図２に示した第１実施形態のチャックテープ１に対して、基体部１５の表面に他の層２１を配した構成を備えたチャックテープ１ａの構成を示している。
なお、以下の説明では、既に第１実施形態で説明した部分または部材と同様な部材等については、同一符号を付して、その説明を省略している。
【００５１】
本実施形態のチャックテープ１ａは、基体部１５の表面に対して他の層２１が配設されている。この構成をとることにより、チャックテープ１ａの厚み方向に対してアンカー構造を形成することができるため、帯状基部１３の強度が向上する。また、それに加えて、咬合部１０（図６では第１のフック部１８と第２のフック部１９）と連結して一体的に形成されている基体部１５がシール部１４と他の層２１に挟み込まれた構成となり、チャックテープ１の帯状基部１３に対する咬合部１０の剥離強度が優れることとなる。
なお、本実施形態では、他の層２１は、雄部材１１では、連結部１７を介して２つに分かれており、また、雌部材１２にあっては、第１のフック部１８及び第２のフック部１９の根本を介して２つに分かれている態様を示している。
【００５２】
図６に示すように、本実施形態のチャックテープ１ａにあっても、第１実施形態のチャックテープ１と同様に、雌部材１２における、当該雌部材１２を構成する帯状基部１３の内面側の端部表面１３ｂに対して、対向する雄部材１１を構成する帯状基部１３の内面側の端部表面１３ａと疑似接着可能なように疑似接着部２０が形成されている。
また、図６に示す構成は、疑似接着部２０が、雌部材１２のシール部１４と一体的に形成され、雌部材１２の帯状基部１３を構成する基体部１５の表面に露出している態様を示している。一方、かかる構成は、第１実施形態と同様、図３に示すように、シール部１４と分割して形成するようにしてもよく、また、図４に示すように、疑似接着部２０とシール部１４との間に基体部１５が存在するようにしてもよい。また、疑似接着部２０と基体部１５の間に他の層２１が入り込むようにしてもよい。
【００５３】
ここで、他の層２１を構成する材料としては、公知の熱可塑性樹脂を使用することができるが、例えば、シーラント層がエチレン系重合体の場合は、ポリプロピレン系樹脂があり、特に、融点が１２０℃以上のホモポリプロピレン、ランダムポリプロピレン等が挙げられる。
【００５４】
そして、図６に示した第２実施形態の構成にあっては、チャックテープ１ａを構成するシール部１４、基体部１５、及び他の層２１という３つの構成部を層状に含むことになるので、咬合部１０と連結して一体的に形成される基体部１５を構成する材料選択の幅を広げることができる。従って、例えば、前記した第１実施形態の構成と比較して、シール部１４と基体部１５との融点差を比較的小さくした材料を選択することができる。
【００５５】
すなわち、図２に示した第１実施形態の構成にあっては、基体部１５を構成する樹脂の融点は、シール部１４を構成する樹脂より３０℃以上融点が高いことが好ましく、４０℃以上融点が高いことが特に好ましいものであった。これに対して、図６に示した第２実施形態の構成にあっては、基体部１５の融点は、シール部１４の融点より高ければよく、例えば、シール部１４がメタロセン系直鎖状低密度ポリエチレン、基体部１５が直鎖状低密度ポリエチレン（チーグラー・ナッタ触媒で重合した直鎖状低密度ポリエチレン含む）、低密度ポリエチレン、他の層２１がポリプロピレン系樹脂とする組み合わせとすることができる。このようにして、本実施形態の構成によれば、基体部１５として、シール部１４との融点の差がそれほどない（例えば、両者の融点の差が２０℃程度の）樹脂を選択することも可能となる。
【００５６】
図６に示した本実施形態のチャックテープ１ａを袋本体にヒートシールさせて、チャックテープ付き包装袋４０を得るには、前記した第１実施形態に示したと同様な製造方法を用いることができる。ここで、図７は、第２実施形態のチャックテープ１ａについて、１回目のヒートシールを行った後のチャックテープ１ａと基材フィルム３０ａの状態を示した断面図である。図７に示すように、本実施形態のチャックテープ１にあっても、１回目のヒートシール工程により、雌部材１２に形成された疑似接着部２０が雄部材１１の端部表面１３ａと疑似接着しているので、以降の工程で、チャックテープ１と製袋機との間で摩擦が起きても、基材フィルム３０ａとヒートシールされていない雄部材１１がめくれてしまうことはない。
【００５７】
このような第２実施形態のチャックテープ１ａによれば、前記した第１実施形態のチャックテープ１の奏する効果と同様な効果を奏することができるとともに、基体部１５を構成する材料選択の幅も広がり、前記した第１実施形態の構成と比較して、シール部１４と基体部１５との融点差を比較的小さくした材料を選択することができる。
【００５８】
なお、以上説明した態様は、本発明の一態様を示したものであって、本発明は、前記した実施形態に限定されるものではなく、本発明の目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。
【００５９】
前記した実施形態では、図２、図６等に示したように、チャックテープ１の雌部材１２を構成する帯状基部１３の内面側の端部表面１３ａに対して、対向する雄部材１１を構成する帯状基部１３の内面側の端部表面１３ｂと疑似接着可能なように疑似接着部２０を形成した例を示したが、これには限定されず、雄部材１１を構成する帯状基部１３の内面側の端部表面１３ｂに対して、対向する雌部材１２を構成する帯状基部１３の内面側の端部表面１３ａと疑似接着可能なように疑似接着部を形成するようにしてもよく、これによっても、前記した効果と同様な効果を奏することができる。
【００６０】
前記した実施形態では、図２ないし図４に示したように、疑似接着部２０は層状を形成した態様を示したが、これには限定されず、帯状基部１３の内面側の端部表面１３ａに対してドット状に形成したり、当該表面１３ａに対して線状に形成してもよい。すなわち、疑似接着部２０は、帯状基部１３の内面側の端部表面１３ａに露出しているのであれば、その形態に特に制限はない。
【００６１】
前記した実施形態では、チャックテープ１が、咬合部１０である雄部材１１の略鏃形状の頭部１６と、雌部材１２の略円弧形状の第１のフック部１８及び第２のフック部１９が咬合ないしは離れることにより、開封及び再封が行われる態様を示したが、咬合部１０の形状はこれには限定されず、開封及び再封の機能を有していれば、雄部材１１の頭部１６や、雌部材の第１のフック部１８及び第２のフック部１９の形状は任意のものであってよい。
【００６２】
前記した実施形態では、図２に示したように、咬合部１０として一対の雄部材１１及び雌部材１２を一組備えたチャックテープを袋本体に対してヒートシールした態様を示したが、これには限定されず、咬合部１０を複数（２つ等）備えたチャックテープ１を袋本体２０に接着させて、チャックテープ付き包装袋３０としてもよい。
その他、本発明の実施における具体的な構造及び形状等は、本発明の目的を達成できる範囲で他の構造等としてもよい。
【実施例】
【００６３】
以下、実施例及び比較例を挙げて、本発明をより具体的に説明するが、本発明は実施例等の内容に何ら限定されるものではない。
【００６４】
［実施例１］
チャックテープの製造：
前記した第１実施形態（図２参照）に示した構成、すなわち、雌部材を構成する帯状基部における内面部の端部表面に対して、巾ｗを２ｍｍとしてシール部が露出した疑似接着部を当該シール部と一体的に形成するようにしたチャックテープについて、シール部、及び咬合部を含む基体部を構成する樹脂を下記のようにして、また、かかる樹脂を２台の押出成形機を用いて共押出成形することにより、本発明のチャックテープを得た。
【００６５】
なお、樹脂の物性に関しては、融点はＪＩＳ  Ｋ７１２１に準拠して、更には、密度はＪＩＳ  Ｋ７１２１に準拠して、メルトフローレート（ＭＦＲ）は、ＪＩＳ  Ｋ７２１０に準拠して（１９０℃又は２３０℃、２１．１８Ｎ荷重）、それぞれ測定した。
【００６６】
（ 使用した樹脂：シール部）
密度が９００ｋｇ／ｍ３、ＭＦＲが１２ｇ／１０分、融点が９３℃のメタロセン系直鎖状低密度ポリエチレンを使用した。
【００６７】
（ 使用した樹脂：咬合部を含む基体部）
密度が９００ｋｇ／ｍ３、ＭＦＲが７ｇ／１０分、融点が１３４℃のランダムポリプロピレン（コモノマーはエチレン）を使用した。
なお、このランダムポリプロピレンは、全体に対してエチレン成分を４質量％含有するものである。
【００６８】
［実施例２］
実施例１で製造したチャックテープにおいて、疑似接着部を雌部材の帯状基部の端部でなく、雄部材の帯状基部の端部に形成した以外は、実施例１と同様な方法を用いて、本発明のチャックテープを製造した。
【００６９】
［比較例１］
実施例１で製造したチャックテープにおいて、疑似接着部を帯状基部に対して形成しなかった以外は、実施例１と同様な方法を用いて、チャックテープを製造した。
【００７０】
［比較例２］
実施例１で製造したチャックテープにおいて、疑似接着部を雌部材の帯状基部の端部だけでなく、雌部材の帯状基部の端部にも形成するようにした以外は、実施例１と同様な方法を用いて、チャックテープを製造した。
【００７１】
［試験例１］
（１）製袋試験：
前記した実施例１，２及び比較例１，２で得られたチャックテープを、下記の製造方法により、下記構成のフィルム基材に融着させて、図１に示す形状の、サイズ１５０ｍｍ×２００ｍｍのチャックテープ付き包装袋（チャックテープ付きガゼット合掌袋）を製造した。
【００７２】
（ チャックテープ付き包装袋の製造方法）
雌部材の帯状基部の端部に形成された疑似接着部を、基材フィルムの進行方法に向けるようにして、チャックテープを基材フィルムの流れ方向に対して直交する方向から挿入した（チャックテープ挿入工程）。
次に、基材フィルムのシーラント層（最内層）と、雌部材のシール部をフラットシールバーにてヒートシールした（１回目のヒートシール工程）。ここで、チャックテープとフィルム基材とヒートシールされた状態は図２に準ずるものとし、前記した実施例２にあっても、疑似接着部が形成されていない雌部材をフラットシールバーとしてヒートシールすることとした。
【００７３】
チャックテープの雌部材のシール部と基材フィルムのシーラント層がヒートシールされたら、背貼部をヒートシールにより形成させた後、袋の左右にマチを入れて製袋して、図１に示すようなガゼット合掌袋の形状に折り畳んだ（製袋工程）。
そして、ガゼット合掌袋の形状に折り畳まれたら、２回目のヒートシールとして、雄部材のシール部と基材フィルムのシーラント層（最内層）を、ヒートシールバーを用いてヒートシールした（２回目のヒートシール工程）。最後に、袋の底部をヒートシールして、チャックテープ付き包装袋を得た。
【００７４】
（ 袋本体を構成するフィルムの構成）
二軸延伸ナイロンフィルム（厚み  １５μｍ）と、直鎖状低密度ポリエチレンフィルム
（厚み  ６０μｍ）を積層したラミネートフィルム（総厚み  ７５μｍ）を使用した。
【００７５】
そして、前記の製造方法の過程における製袋時のチャックテープの有無の確認を行うとともに、製造されたチャックテープ付き包装袋の開封試験を行い、比較・評価した。結果を表２に示す。
【００７６】
・  製袋時のチャックテープのめくれの有無の確認：
第１回目のヒートシールの際にヒートシールされなかった雄部材の進行方向側が、フィルム基材を筒状に形成後、第２回のヒートシールで当該雄部材をフィルム基材にヒートシールするまでの間に、進行方向側にめくれが生じるか否か確認した。
【００７７】
・  開封試験：
製造されたチャックテープ付き包装袋について、開封可能か否か確認した。
【００７８】
（ 結  果 ）
【表１】
0004801328.tif 000002
【００７９】
表１に示すように、実施例１及び実施例２により得られた本発明のチャックテープは、雄部材にめくれが生じることもなく、安定してチャックテープ付き包装袋の製造を行うことができた。また、得られた包装袋は、開封も良好に行うことができ、実用上も問題のないものであった。
【００８０】
なお、実施例１と実施例２を比較すると、疑似接着部が形成された雌部材を１回目のヒートシール工程によりフィルム基材とヒートシールした実施例１は、適度な疑似接着が行われていた一方、雄部材に疑似接着部を形成した実施例２は、疑似接着における接着力がやや弱く感じられた。
【００８１】
一方、雌部材の帯状基部の端部の内面側に疑似接着部を形成せず、雄部材の帯状基部の端部と疑似接着可能に形成されていない比較例１は、雄部材のめくれが生じて、包装袋の製造を安定して行うことができなかった。
また、雌部材の帯状基部の端部だけでなく、雄部材の帯状基部の端部にも疑似接着部を形成した比較例２のチャックテープは、疑似接着部の樹脂が同じであるため、当該疑似接着部同士が熱融着してしまい、包装袋を開封することができなかった。
このように、本発明の要件を具備しない比較例のチャックテープは、いずれも実施例のチャックテープと比較して大きく劣るものであった。
【産業上の利用可能性】
【００８２】
本発明のチャックテープ及びチャックテープ付き包装袋は、例えば、食品、医療品等の各種物品を包装するために用いられるチャックテープ及び当該チャックテープを備えた包装袋として広く利用することができる。
【図面の簡単な説明】
【００８３】
【図１】本発明のチャックテープ付き包装袋の一態様を示した斜視図である。
【図２】図１のII−II断面図であって、雄部材と雌部材が咬合した状態を示した断面図である。
【図３】疑似接着部の他の態様を示した部分拡大断面図である。
【図４】疑似接着部のもう一つの態様を示した部分拡大断面図である。
【図５】第１実施形態のチャックテープについて、第１回目のヒートシールを行った後のチャックテープと基材フィルムの状態を示した断面図である。
【図６】本発明のチャックテープの他の態様を示した断面図である。
【図７】第２実施形態のチャックテープについて、第１回目のヒートシールを行った後のチャックテープと基材フィルムの状態を示した断面図である。
【符号の説明】
【００８４】
１，１ａ  …  チャックテープ
１０  …  咬合部
１１  …  雄部材
１２  …  雌部材
１３  …  帯状基部
１３ａ，１３ｂ…  帯状基部の端部表面
１４  …  シール部
１５  …  基体部
１６  …  頭部
１７  …  連結部
１８  …  第１のフック部
１９  …  第２のフック部
２０  …  疑似接着部
２１  …  他の層
３０  …  袋本体
３１  …  マチ
３２  …  背貼部
３３  …  底部
３４  …  開口部
４０  …  チャックテープ付き包装袋
【図１】
0004801328.tif 000003
【図２】
0004801328.tif 000004
【図３】
0004801328.tif 000005
【図４】
0004801328.tif 000006
【図５】
0004801328.tif 000007
【図６】
0004801328.tif 000008
【図７】
0004801328.tif 000009